(57)【要約】【課題】便槽の底面に糞尿が混ざった微生物培養材がこびり着かず、断熱層を形成しないようにして、ヒーターの熱をよく伝播させ、加温・保湿を均等にして糞尿の微生物分解が良好に進むようにした微生物分解便槽を提供する。【解決手段】微生物増殖床１２を形成し、この微生物増殖床１２を加温・攪拌して糞尿を分解する微生物分解便槽１０において、上記微生物増殖床１２を攪拌する攪拌翼１６の全部または一部が便槽１１の底面に接して攪拌運動をするように構成したものであり、上記攪拌翼１６は、便槽１１の底面に接して攪拌する翼１６ａと、上記微生物増殖床１２の中層を攪拌する翼１６ｂとからなり、上記攪拌翼１６ａには可撓性材料からなるスクレイパー２２を取付けられ、上記便槽１１の底面形状は、上記底面に接して回転する攪拌翼１６ａの回転軌跡に合わせてなる。【選択図】　図１
2004008394.tif 000002
【特許請求の範囲】
【請求項１】
微生物増殖床を形成し、この微生物増殖床を加温・保湿・攪拌して糞尿を分解する微生物分解便槽において、上記微生物増殖床を攪拌する攪拌翼の全部または一部が便槽の底面に接して攪拌運動をするように構成したことを特徴とする微生物分解便槽。
【請求項２】
上記攪拌翼は、便槽の底面に接して攪拌するものと、上記微生物増殖床の中層を攪拌するものとからなることを特徴とする請求項１に記載の微生物分解便槽。
【請求項３】
上記攪拌翼は、便槽の底面に接して攪拌するものの他、上記微生物増殖床の少なくとも３中層を攪拌するものとからなることを特徴とする請求項１または２に記載の微生物分解便槽。
【請求項４】
上記攪拌翼の便槽底面に接する部分に、可撓性材料からなるスクレイパーを取付けられてなることを特徴とする請求項１乃至３のいずれかに記載の微生物分解便槽。
【請求項５】
上記微生物分解便槽の底面形状を、上記底面に接して回転する攪拌翼の回転軌跡に合わせてなることを特徴とする請求項１乃至４のいずれかに記載の微生物分解便槽。
【発明の詳細な説明】
【０００１】
【発明の属する技術分野】
この発明は、土壌中に生息している微生物を木質繊維やチップに着床させた微生物増殖床を便槽内に形成し、この微生物増殖床を加温・保湿・攪拌することにより糞尿を分解浄化させる微生物分解便槽に関する。
【０００２】
【従来の技術】
微生物分解形の仮説便所として、特願平８−３３３８３９号で「仮説便所において、上部に便槽を、下部に浄化水蓄溜槽および水洗用水槽を一体に配置し、便槽と浄化水蓄溜槽との間の隔壁に設けられた連通孔にはフィルターが嵌められたベースタンクと、便室内に設けられたペダルを踏押すことにより駆動力伝達機構を介して回動する上記便槽内に設けられた攪拌翼と、上記ペダル踏押時の発信によって作動する便器の水洗手段と、便槽内に設置された水分量検知センサーの信号により作動する便槽への散水手段と、上記水洗手段と上記散水手段のソーラー電源とからなる」ものが提案されている。
【０００３】
また、便槽を適度に加温・保湿して微生物の増殖を活発にして糞尿の分解を促進する提案もされている。
【０００４】
【発明が解決しようとする課題】
上記提案の便槽は、その底面は単なる鍋底形で、便槽内に設置された攪拌翼は、便槽の底面に届かない大きさの翼が、単に回転しているだけであるから、便槽の底面に沿った部分と、二つの攪拌翼の中間でかつ便槽の底側がデッドコーナーとなって攪拌されない。
【０００５】
上記デッドコーナーの部分に糞尿が混ざった微生物培養材が滞留し、加えて、微生物の増殖を活発にするために便槽を加温しているため、上記糞尿が混ざった微生物培養材は便槽の底面にこびり着いて断熱層を形成することとなる。
【０００６】
このような状態になると、ヒーターの熱は微生物増殖床全体に伝わらず、微生物の活動が鈍くなって糞尿は分解されず悪臭を放ちウジ虫の発生に至る。
【０００７】
上記問題に鑑みこの発明は、便槽の底面に糞尿が混ざった微生物培養材がこびり着かない（断熱層を形成させない）ようにしてヒーターの熱が均等に伝播するようにし、加温・保湿を均等にして糞尿の微生物分解が良好に進むようにした微生物分解便槽を提供する。
【０００８】
【課題を解決するための手段】
上記課題を解決するためにこの発明は、微生物増殖床を形成し、この微生物増殖床を加温・攪拌して糞尿を分解する微生物分解便槽において、上記微生物増殖床を攪拌する攪拌翼の全部または一部が便槽の底面に接して攪拌運動をするように構成したもの（請求項１）であり、上記攪拌翼は、便槽の底面に接して攪拌するものと、上記微生物増殖床の中層を攪拌するものとからなり（請求項２と３）、上記攪拌翼の便槽底面に接する部分に、可撓性材料からなるスクレイパーを取付けられてなり（請求項４）、上記便槽の底面形状は、上記底面に接して回転する攪拌翼の回転軌跡に合わせてなる（請求項５）構成としたものである。
【０００９】
上記のように構成するこの発明によれば、排泄された糞尿が微生物増殖床中に万遍に分散し、ヒーターの熱が微生物増殖床全体によく伝播・加温され、均等な保湿状態が維持されて良好な状態で糞尿の分解が行われる。
【００１０】
【発明の実施の形態】
次に、この発明の実施形態を図１から図４を参照しながら説明する。便槽１１内には微生物を着床させた木質チップ、木質繊維（微生物培養材）などが投入されて微生物増殖床１２が形成され、便槽１１の外面にはヒーター１３が配置され、その外回りに水槽１４が形成されている。
【００１１】
便槽１１内には、回転軸１５に固着された攪拌翼１６が配設され、この攪拌翼１６はペダル１７を踏むことによりケーブルワイヤ１８が引っ張られ、中間シーブ１９を介して駆動シーブ２０が回され、歯車機構２１と回転軸１５を介して攪拌翼１６が回される。
【００１２】
攪拌翼１６は、便槽１１の底面に接して回転する翼１６ａと微生物増殖床１２の中層を攪拌する翼１６ｂとで構成し、便槽１１の底面に接する翼１６ａの端にはゴム・プラスチックのような可撓性材料からなるスクレイパー２２が取り付けられている。
【００１３】
水槽１４からは、便器洗浄用の配管２３と微生物増殖床１２の保湿のための給水管２４がポンプＰ１，Ｐ２を介して延びている。
【００１４】
攪拌翼１６の回転軸１５に直行する方向の便槽１１の断面は、図２に示すように二つの攪拌翼１６のスクレイパー２２の回転軌跡に合うような形状にして、糞尿と混ざった微生物培養材が便槽１１の底面にこびり着かないようになっている。
【００１５】
便槽１１の外側表面にはヒーター１３が取り付けられ微生物増殖床１２を５０〜８０℃に加温するようになっている。
【００１６】
図４は本発明の微生物分解便槽１０を装備した仮設便所２５で、天井にはソーラー発電板２６が配置され、発生電力は図示しないバッテリーに蓄電される。
【００１７】
上記のようにしてなるこの発明の微生物分解便槽１０は、排泄された糞尿を攪拌翼１６の回転によって微生物増殖床１２に取り込むと共に分散させて微生物の増殖活動により分解される。
【００１８】
上記攪拌翼１６は、便槽１１の底面にスクレイパー２２が接触回転する翼１６ａと、微生物増殖床１２の中層を攪拌する翼１６ｂとで構成している。
【００１９】
さらに上記攪拌翼１６について詳しく説明すると、最も外側の攪拌翼１６ａはゴム・プラスチック製のスクレイパー２２が便槽の底に接するようになり、残りの攪拌翼１６ｂはスパイラル状の軌跡をたどって中心に近寄るように、それぞれが異なる中間層を攪拌するようになっている。
【００２０】
従って便槽１１の底面で糞尿を含む微生物培養材がこびり着かず断熱層を形成させない。また、微生物増殖床１２の中層も攪拌されてヒーターの熱は万遍に伝播し、均等に加温・保湿されて良好な状態で微生物分解が進んで行く。
【００２１】
なお、上記実施形態ではペダル１７により攪拌翼１６を回転させ、スイッチを閉じてポンプＰ１，Ｐ２を作動し、便器洗浄と微生物増殖床保湿の給水をするようになっているが、外部電源を採るときは種々の方式による運転・制御することもできる。
【００２２】
【発明の効果】
以上説明したようにこの発明によれば、便槽内の微生物増殖床が万遍に攪拌されて加温・保湿が均等になり排泄された糞尿が良好な状態で微生物分解される。とりわけ、糞尿が混ざった微生物増殖材が便槽の底面にこびり着かず断熱層を形成しなくなるのでヒーターの熱は微生物増殖床全体に均等に伝播して良好な状態で微生物分解が行われる。
【図面の簡単な説明】
【図１】この発明に係る便槽の縦断面図
【図２】図１のＡ−Ａ断面図
【図３】この発明に係る便槽の斜視図
【図４】この発明に係る便槽を装備した仮設便所の構造図
【図５】中間層を攪拌する攪拌翼の説明図
【符号の説明】
１０　微生物分解便槽
１１　便槽
１２　微生物増殖床
１３　ヒーター
１４　水槽
１５　回転軸
１６　攪拌翼
１６ａ　攪拌翼（スクレイパー付き）
１６ｂ　攪拌翼（中層用）
１７　ペダル
１８　ケーブルワイヤー
１９　中間シーブ
２０　駆動シーブ
２１　歯車機構
２２　スクレイパー
２３　配管
２４　給水管
２５　仮設便所
２６　ソーラー発電板
【図１】
2004008394.tif 000003
【図２】
2004008394.tif 000004
【図３】
2004008394.tif 000005
【図４】
2004008394.tif 000006
【図５】
2004008394.tif 000007